(57)【要約】      （修正有）【課題】データ通信中に着信信号を受信した場合であってもスループットの低下を極力防止することができる携帯端末及びその制御方法を提供する。【解決手段】減設部３１は、割り当てられた複数のスロットによりデータ通信を行っている際に、通信部４０により着信信号を受信したか否かを判定する。そして、減設部３１は、通信部４０により着信信号を受信した場合、データ通信用に割り当てられた複数のスロットのうち少なくとも１つを残し、当該残されたスロット以外のスロットを減設する。増設部３２は、着信信号に関する処理を行う際に、着信信号の種類に応じて、減設されたスロットのうちのいくつかを前記着信信号に関する処理用として増設する。【選択図】図２
2012222745.tif 000002
【特許請求の範囲】
【請求項１】
基地局を介して他の端末と通信を行う通信部と、
割り当てられた複数のスロットにより第１のデータ通信を行っている際に、前記通信部により着信信号を受信した場合、前記第１のデータ通信用に割り当てられた複数のスロットのうち少なくとも１つを残し、当該残されたスロット以外のスロットを減設する減設部と、
前記着信信号に関する処理を行う際に、前記着信信号の種類に応じて、前記減設されたスロットのうちのいくつかを前記着信信号に関する処理用として増設する増設部と、を備える携帯端末。
【請求項２】
前記増設部は、前記着信信号に付加された付加情報に基づいて、前記着信信号の種類を判定する請求項１に記載の携帯端末。
【請求項３】
前記着信信号に付加された付加情報は、ＩＴＵ−ＴＨ．３２０に規定されるＵＵＩ（ユーザ・ユーザ情報）である請求項２に記載の携帯端末。
【請求項４】
前記増設部は、前記着信信号に関する処理が第２のデータ通信を含む場合には、前記減設されたスロットうちのいくつかを前記第２のデータ通信用として増設し、前記着信信号に関する処理が前記第２のデータ通信を含まない場合には、前記減設されたスロットのうちのいずれのスロットも前記第２のデータ通信用として増設しない請求項１又は２に記載の携帯端末。
【請求項５】
前記第２のデータ通信は、パケット通信である請求項４に記載の携帯端末。
【請求項６】
前記増設部は、前記第２のデータ通信時におけるデータ伝送量が所定の閾値を超える場合には、前記減設されたスロットのうちのいくつかを増設する請求項４又は５に記載の携帯端末。
【請求項７】
前記増設部は、前記第２のデータ通信時におけるデータ伝送量に基づいて、前記減設されたスロットのうちから増設するスロットの数を決定する請求項４又は５に記載の携帯端末。
【請求項８】
前記増設部は、前記着信信号に関する処理が終了した後に、当該着信信号に関する処理用に割り当てられていたスロットを減設し、当該減設されたスロットを前記第１のデータ通信用として増設する請求項１から７のいずれか一項に記載の携帯端末。
【請求項９】
前記増設部は、前記着信信号に関する処理用として増設されたスロットの通信品質と、前記第１のデータ通信用として割り当てられ、前記減設部により減設されなかったスロットの通信品質とを比較して、通信品質のより高いスロットの割当元の基地局を前記減設されたスロットを前記着信信号に関する処理用として増設する際の割当元として設定する請求項１から８のいずれか一項に記載の携帯端末。
【請求項１０】
前記通信部によるデータ通信の方式は、時分割多元接続（ＴＤＭＡ／ＴＤＤ）方式である請求項１から９のいずれか一項に記載の携帯端末。
【請求項１１】
割り当てられた複数のスロットにより第１のデータ通信を行っている際に、着信信号を受信したか否かを判定する判定ステップと、
前記判定ステップにおいて前記着信信号を受信したと判定された場合に、前記第１のデータ通信用に割り当てられた複数のスロットのうち少なくとも１つを残し、当該残されたスロット以外のスロットを減設する減設ステップと、
前記着信信号に関する処理を行う際に、前記着信信号の種類に応じて、前記減設されたスロットのうちのいくつかを前記着信信号に関する処理用として増設する増設ステップと、を含む携帯端末の制御方法。
【発明の詳細な説明】
【技術分野】
【０００１】
本発明は、時分割多元接続方式を用いる携帯端末及びその制御方法に関する。
【背景技術】
【０００２】
従来より、ＰＨＳ端末等の携帯端末は、基地局との間において、例えば、ＴＤＭＡ（Ｔｉｍｅ  Ｄｉｖｉｓｉｏｎ  Ｍｕｌｔｉｐｌｅ  Ａｃｃｅｓｓ）／ＴＤＤ（Ｔｉｍｅ  Ｄｉｖｉｓｉｏｎ  Ｄｕｐｌｅｘ）方式に基づいた無線通信を行っている（例えば、特許文献１参照）。
【０００３】
ＴＤＭＡ／ＴＤＤでは、複数のスロット（リンク）を設ける場合が多い。この場合、送信データは、所定サイズ（例えば、５１２バイト）以内のパケットに分割された後、各パケットが複数のスロットのいずれかに割り当てられる。そして、各パケットは、割り当てられたスロットにおいて、ＴＤＭＡフレーム毎のデータサイズにさらに分割されて送信される。
【先行技術文献】
【特許文献】
【０００４】
【特許文献１】特開平６−１５２５１４号公報
【発明の概要】
【発明が解決しようとする課題】
【０００５】
しかし、上述したＴＤＭＡ／ＴＤＤ方式に基づいた無線通信を行う携帯端末は、複数のスロットによりデータ通信を行っている際に、着信信号を受信した場合、着信を行いやすくするために、複数のスロットのうちいくつかのスロットを残して、他のスロットを減設していた。そのため、携帯端末は、着信信号に係る処理を行っている間、残されたスロットのみでデータ通信を行うため、スループットが低下するおそれがあった。
【０００６】
本発明は、データ通信中に着信信号を受信した場合であってもスループットの低下を極力防止することができる携帯端末及びその制御方法を提供することを目的とする。
【課題を解決するための手段】
【０００７】
本発明に係る携帯端末は、上記課題を解決するために、基地局を介して他の端末と通信を行う通信部と、割り当てられた複数のスロットにより第１のデータ通信を行っている際に、前記通信部により着信信号を受信した場合、前記第１のデータ通信用に割り当てられた複数のスロットのうち少なくとも１つを残し、当該残されたスロット以外のスロットを減設する減設部と、前記着信信号に関する処理を行う際に、前記着信信号の種類に応じて、前記減設されたスロットのうちのいくつかを前記着信信号に関する処理用として増設する増設部と、を備える。
【０００８】
また、前記増設部は、前記着信信号に付加された付加情報に基づいて、前記着信信号の種類を判定することが好ましい。
【０００９】
また、前記着信信号に付加された付加情報は、ＩＴＵ−ＴＨ．３２０に規定されるＵＵＩ（ユーザ・ユーザ情報）である。
【００１０】
また、前記増設部は、前記着信信号に関する処理が第２のデータ通信を含む場合には、前記減設されたスロットうちのいくつかを前記第２のデータ通信用として増設し、前記着信信号に関する処理が前記第２のデータ通信を含まない場合には、前記減設されたスロットのうちのいずれのスロットも前記第２のデータ通信用として増設しないことが好ましい。
【００１１】
また、前記携帯端末において、前記第２のデータ通信は、パケット通信であることが好ましい。
【００１２】
また、前記増設部は、前記第２のデータ通信時におけるデータ伝送量が所定の閾値を超える場合には、前記減設されたスロットのうちのいくつかを増設することが好ましい。
【００１３】
また、前記増設部は、前記第２のデータ通信時におけるデータ伝送量に基づいて、前記減設されたスロットのうちから増設するスロットの数を決定することが好ましい。
【００１４】
また、前記増設部は、前記着信信号に関する処理が終了した後に、当該着信信号に関する処理用に割り当てられていたスロットを減設し、当該減設されたスロットを前記第１のデータ通信用として増設することが好ましい。
【００１５】
また、前記増設部は、前記着信信号に関する処理用として増設されたスロットの通信品質と、前記第１のデータ通信用として割り当てられ、前記減設部により減設されなかったスロットの通信品質とを比較して、通信品質のより高いスロットの割当元の基地局を前記減設されたスロットを前記着信信号に関する処理用として増設する際の割当元として設定することが好ましい。
【００１６】
また、前記携帯端末において、前記通信部によるデータ通信の方式は、時分割多元接続（ＴＤＭＡ／ＴＤＤ）方式であることが好ましい。
【００１７】
本発明に係る携帯端末の制御方法は、上記課題を解決するために、割り当てられた複数のスロットにより第１のデータ通信を行っている際に、着信信号を受信したか否かを判定する判定ステップと、前記判定ステップにおいて前記着信信号を受信したと判定された場合に、前記第１のデータ通信用に割り当てられた複数のスロットのうち少なくとも１つを残し、当該残されたスロット以外のスロットを減設する減設ステップと、前記着信信号に関する処理を行う際に、前記着信信号の種類に応じて、前記減設されたスロットのうちのいくつかを前記着信信号に関する処理用として増設する増設ステップと、を含む。
【発明の効果】
【００１８】
本発明によれば、データ通信中に着信信号を受信した場合であってもスループットの低下を極力防止することができる携帯端末及びその制御方法を提供することができる。
【図面の簡単な説明】
【００１９】
【図１】本実施形態に係るＰＨＳ端末の外観斜視図である。
【図２】本実施形態に係るＰＨＳ端末の機能を示すブロック図である。
【図３】本実施形態に係るＰＨＳ端末を含むＴＤＭＡ／ＴＤＤ方式による無線通信システムの構成例を示す図である。
【図４】基地局とＰＨＳ端末間における送受信スロットタイミングについて示す図である。
【図５】本実施形態に係るスロットの設定について示す図である。
【図６】本実施形態に係るＰＨＳ端末の処理を示すフローチャートである。
【発明を実施するための形態】
【００２０】
図１は、本実施形態に係るＰＨＳ端末１の外観斜視図である。
なお、図１は、いわゆる折り畳み型の端末の形態を示しているが、本発明に係るＰＨＳ端末１の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２１】
ＰＨＳ端末１は、操作部側筐体２と、表示部側筐体３と、を備えて構成される。操作部側筐体２は、表面部１０に、操作部１１と、ＰＨＳ端末１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２２】
また、表示部側筐体３は、表面部２０に、各種情報を表示するための表示部２１と、通話の相手側の音声を出力するレシーバ２２と、を備えて構成されている。
【００２３】
また、操作部側筐体２の上端部と表示部側筐体３の下端部とは、ヒンジ機構４を介して連結されている。また、ＰＨＳ端末１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２４】
図２は、本実施形態に係るＰＨＳ端末１の機能を示すブロック図である。
ＰＨＳ端末１は、操作部１１と、表示部２１と、制御部３０と、通信部４０と、記憶部５０と、音声制御部６０とを備える。
【００２５】
制御部３０は、ＰＨＳ端末１の全体を制御しており、例えば、表示部２１や通信部４０等の各部に対して所定の制御を行う。また、制御部３０は、操作部１１や通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２６】
通信部４０は、制御部３０の制御に従って、所定の使用周波数帯（例えば、１．９ＧＨｚ帯）で基地局と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。すなわち、通信部４０は、基地局を介して他の端末と通信を行う。
【００２７】
図３は、本実施形態に係るＰＨＳ端末１を含むＴＤＭＡ／ＴＤＤ方式による無線通信システムの構成例を示す図である。
【００２８】
ＰＨＳ端末１は、ＴＤＭＡ／ＴＤＤ方式の複数のスロット（例えば、スロット１〜４）を用いて、それぞれ同一の又は異なる基地局と無線通信を行う。
【００２９】
ここで、各スロットは、無線通信であるために、それぞれ異なる基地局によって通信している場合において、それぞれエラー率等の通信品質が異なり、データ通信におけるスループットが大きく異なる場合もある。
【００３０】
また、基地局は、報知チャネル（ＢＣＣＨ：Ｂｒｏａｄ  Ｃａｓｔ  Ｃｏｎｔｒｏｌ  Ｃｈａｎｎｅｌ）、呼出チャネル（ＰＣＨ：Ｐａｇｉｎｇ  Ｃｈａｎｎｅｌ）、及びリンクチャネル割当信号（下りＳＣＣＨ：Ｓｉｇｎａｌｉｎｇ  Ｃｏｎｔｒｏｌ  Ｃｈａｎｎｅｌ）を含む制御チャネル（ＣＣＨ：Ｃｏｎｔｒｏｌ  Ｃｈａｎｎｅｌ）を所定のパターンのタイミングで送信する。
【００３１】
なお、ＡＲＩＢ  ＳＴＤ−２８においてフレームは、ダウンリンクと、アップリンクを時間軸方向にそれぞれ４分割したタイムスロット（ＴＤＭＡスロット）で構成される。また、１タイムスロットの時間長は、６２５μｓｅｃであり、８タイムスロットの時間長は、５ｍｓｅｃである。また、一般的なＰＨＳ端末は、１．２ｓｅｃに１回のタイミングでＣＣＨの間欠受信を行い、着呼の有無を確認している。
【００３２】
また、図２に示すように、記憶部５０は、例えば、ワーキングメモリを含み、制御部３０による演算処理に利用される。また、本実施形態に係る各種プログラムの他、送受信用スロット数の初期値や最大値、増設及び減設の条件、各スロットの通信状態（通信品質）としてのスループット値等を記憶する。
【００３３】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナ４１より出力する。
【００３４】
次に制御部３０の機能について詳述する。
制御部３０は、減設部３１と、増設部３２と、着信処理部３３と、データ通信処理部３４とを備える。
【００３５】
減設部３１は、割り当てられた複数のスロットによりデータ通信を行っている際に、通信部４０により着信信号を受信したか否かを判定するか、若しくは通信部４０より着信信号を受信した旨の通知を受ける。そして、減設部３１は、通信部４０により着信信号を受信した場合、割り当てられた複数のスロットのうち少なくとも１つ以外のスロットを減設する。
【００３６】
具体的には、図５（Ａ）に示すように、ダウンリンクの複数のスロットＴＳ１〜ＴＳ４において、ＰＨＳ端末１は、パケット通信を用いたデータ通信を行っている。この場合、ＰＨＳ端末１は、スロットＴＳ１及びＴＳ２において基地局ＣＳ１とデータ通信し、スロットＴＳ３及びＴＳ４において基地局ＣＳ２とデータ通信している。
【００３７】
そして図５（Ｂ）に示すように、複数のスロットＴＳ１〜ＴＳ４によりデータ通信を行っている際に基地局ＣＳ３から着信信号を受信すると、減設部３１は、スロットＴＳ１以外のスロット、すなわち、基地局ＣＳ１とデータ通信していたスロットＴＳ２、基地局ＣＳ２とデータ通信していたスロットＴＳ３及びＴＳ４を減設し、着信信号をスロットＴＳ２に割り当てる。ここで、着信信号は、基地局ＣＳ３から受信されているが、通信品質に応じて、他の基地局（例えば、基地局ＣＳ１やＣＳ２）から受信してもよい。
【００３８】
このように着信信号を受信した際にスロットＴＳ２、ＴＳ３及びＴＳ４が減設されるため、データ通信は、スロットＴＳ１のみになってしまい、データ通信の通信速度が遅くなってしまう可能性がある。
【００３９】
そこで、増設部３２は、着信信号に関する処理を行う際に、着信信号の種類に応じて、減設されたスロットをデータ通信用として増設する。これにより、本実施形態に係るＰＨＳ端末１は、着信信号に関する処理が終了していなくても、データ通信用のスロットが増設されるため、データ通信による通信速度の低下を抑制できる。特に、本実施形態に係るＰＨＳ端末１は、データ通信用のスロットを増設する際に、通信可能な基地局（例えば、図５の基地局ＣＳ１〜ＣＳ３）それぞれの電界強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）を確認する必要がないため、効率よくデータ通信のスループットを向上させることができる。
【００４０】
具体的には、増設部３２は、着信信号に付加された付加情報に基づいて、着信信号の種類を判定する。ここで、付加情報としては、例えば、ユーザ間で情報を交換するためのＵＵＩ（Ｕｓｅｒ  Ｕｓｅｒ  ｉｎｆｏｒｍａｔｉｏｎ、ＩＴＵ−ＴＨ．３２０に規定）等を用いることができる。詳細には、増設部３２は、付加情報から着信信号に関する処理が、データ通信を含む処理（例えば、ＳＭＳ（Ｓｈｏｒｔ  Ｍｅｓｓａｇｅ  Ｓｅｒｖｉｃｅ））であるか、データ通信を含まない処理（例えば、音声通話）であるかを判定する。なお、データ通信を含む処理は、ＳＭＳに限らず、例えば、Ｅメール等であってもよい。
【００４１】
すなわち、増設部３２は、着信信号に付加された付加情報に基づいて、着信信号に関する処理がデータ通信を含むか否かを判定する。そして、増設部３２は、着信信号に関する処理がデータ通信を含む場合には、減設されたスロットをデータ通信用として新たに増設する。一方、増設部３２は、着信信号に関する処理がデータ通信を含まない場合には、減設されたスロットをデータ通信用として新たに増設しない。
【００４２】
具体的には、図５（Ｃ）に示すように、増設部３２は、着信信号に関する処理がデータ通信を含む場合には、減設されたスロットＴＳ３及びＴＳ４を、基地局ＣＳ３とデータ通信を行うスロットとして新たに増設する。なお、増設部３２は、基地局ＣＳ１とデータ通信中のスロットＴＳ１についても、基地局ＣＳ１に割当元を変更してもよい。
【００４３】
このようにＰＨＳ端末１は、付加情報を参照して、着信信号がデータ通信を含むＳＭＳ等の着信信号であるか、データ通信を含まない音声通話等の着信信号であるかを好適に判定できる。また、ＰＨＳ端末１は、着信信号に関する処理がデータ通信を含む場合には、そのデータ通信用としてスロットが新たに増設されるため、着信信号に関する処理のスループットが向上する。また、ＰＨＳ端末１は、着信信号に関する処理がデータ通信を含まない場合には、スロットが増設されないため、不要な処理を行わない。
【００４４】
また、本実施形態において、データ通信とは、パケット通信である。したがって、パケット通信時に着信信号を受信した場合にデータ通信のスループットを向上させることができる。
【００４５】
また、減設されたスロットをデータ通信用として新たに増設する際に、増設部３２は、データ通信時におけるデータ伝送量が所定の閾値を超えるか否かを判定する。ここで、所定の閾値は、スロットを減設する前とスロットを減設する後とでデータ通信の速度が大きく低下するデータ伝送量の値に設定される。増設部３２は、データ伝送量が所定の閾値を超える場合には、減設されたスロットをデータ通信用として新たに増設する。一方、増設部３２は、データ伝送量が所定の閾値を超えない場合には、減設されたスロットをデータ通信用として新たに増設しない。これにより、ＰＨＳ端末１は、データ通信の大幅なスループットの低下を防ぐことができる。
【００４６】
増設部３２は、データ通信時におけるデータ伝送量に基づいて、減設されたスロットのうちから増設するスロットの数を決定してもよい。例えば、増設部３２は、データ通信を行っている処理がデータ伝送量の小さい処理（例えば、テキストデータを用いるアプリケーションの処理）である場合には、減設されたスロットのうちから、１つのスロット（例えば、図５（Ｃ）のスロットＴＳ３）を増設する。
【００４７】
一方、増設部３２は、データ通信を行っている処理がデータ伝送量の大きい処理（例えば、ゲームアプリケーションの処理）である場合には、減設されたスロットのうちから、２つのスロット（例えば、図５（Ｃ）のスロットＴＳ３及びＴＳ４）を増設する。これにより、ＰＨＳ端末１は、データ伝送量に応じた適切な数のスロットを増設することができる。
【００４８】
増設部３２は、着信信号を受信した基地局の通信品質を記憶部５０に記憶させる。そして、減設されたスロットを増設する際に、増設部３２は、記憶部５０に記憶された着信信号に関する処理に割り当てられるスロット（例えば、図５（Ｂ）のスロットＴＳ２）の通信品質と、減設部３１により減設されなかったスロット（例えば、図５（Ｂ）のスロットＴＳ１）の通信品質とを比較する。
【００４９】
そして、増設部３２は、通信品質がより高いスロット（例えば、図５（Ｃ）のスロットＴＳ３及びＴＳ４）の割当先の基地局（例えば、図５（Ｃ）の基地局ＣＳ３）を減設されたスロットを増設する際の割当元として設定する。このようにＰＨＳ端末１は、増設するスロットの割当元を、通信品質がより高い基地局に設定することによって、より好適にスループットを向上させることができる。
【００５０】
着信処理部３３は、着信信号を受信すると、着信信号に関する処理（例えば、ＳＭＳ受信や音声通話を行うための処理）を実行する。例えば、着信処理部３３は、ＳＭＳの着信信号を受信した場合には、ＳＭＳ用のアプリケーションを起動し、ＳＭＳのメール本文を受信する。また、着信処理部３３は、音声通話の着信信号を受信した場合には、音声通話用のアプリケーションを起動し、着信先の端末と音声通話を行う。
【００５１】
データ通信処理部３４は、複数のスロットにより通信されるデータ通信に関する処理（例えば、ブラウザアプリケーションによるウェブサイトの表示や、ゲームアプリケーションによるゲームの処理）を実行する。
【００５２】
また、増設部３２は、着信信号に関する処理が終了した後に、当該着信信号に関する処理に割り当てられていたスロットを減設し、当該スロットをデータ通信用として増設する。具体的には、図５（Ｄ）に示すように、増設部３２は、着信信号に関する処理に割り当てられていたスロットＴＳ２を減設し、減設したスロットＴＳ２を基地局ＣＳ３とのデータ通信用のスロットとして増設する。これにより、スロットＴＳ１では、基地局ＣＳ１とデータ通信を行い、スロットＴＳ２〜ＴＳ４では、基地局ＣＳ３とデータ通信を行うことができる。このようにＰＨＳ端末１は、着信信号に関する処理に割り当てられていたスロットをデータ通信用とするため、着信信号に関する処理後にもデータ通信のスループットの向上を図ることができる。
【００５３】
また、上述したように、通信部４０によるデータ通信の方式は、時分割多元接続（ＴＤＭＡ／ＴＤＤ）方式である。したがって、ＰＨＳ端末１は、時分割多元接続方式において、着信信号を受信した場合に、データ通信のスループットを向上させることができる。
【００５４】
図６は、本実施形態に係るＰＨＳ端末１の処理を示すフローチャートである。なお、図６に示す処理では、ＰＨＳ端末１は、複数のスロットによりデータ通信を行っているものとする。
【００５５】
ステップＳ１において、減設部３１は、通信部４０により着信信号を受信したか否かを判定する。着信信号を受信した場合（ＹＥＳ）には、ステップＳ２へ進む。着信信号を受信しない場合（ＮＯ）には、再度ステップＳ１の処理を繰り返す。
【００５６】
ステップＳ２において、減設部３１は、データ通信を行っている割り当てられた複数のスロットのうち、少なくとも１つ以外のスロットを減設する。
ステップＳ３において、制御部３０は、複数のスロットのうち、データ通信を行っていない１のスロットにより着信信号の受信処理を行う。
【００５７】
ステップＳ４において、制御部３０は、着信信号の基地局の通信品質を記憶部５０に記憶させる。
【００５８】
ステップＳ５において、増設部３２は、着信信号に付加された付加情報に基づいて、着信信号に関する処理がデータ通信を用いるか否かを判定する。着信信号に関する処理がデータ通信を用いる場合（ＹＥＳ）には、ステップＳ７へ進む。着信信号に関する処理がデータ通信を用いない場合（ＮＯ）には、ステップＳ６へ進む。
【００５９】
ステップＳ６において、制御部３０は、時分割多元接続方式によるデータ通信を切断し、着信処理部３３による着信信号に係る処理を実行する。
【００６０】
ステップＳ７において、増設部３２は、記憶部５０に記憶された着信信号に関する処理に割り当てられるスロットの通信品質（Ａ）と、減設部３１により減設されなかったスロットの通信品質（Ｂ）とを比較する。着信信号に関する処理に割り当てられるスロットの通信品質が、減設部３１により減設されなかったスロットの通信品質よりも高い（Ａ＞Ｂ）場合には、ステップＳ８へ進む。着信信号に関する処理に割り当てられるスロットの通信品質が、減設部３１により減設されなかったスロットの通信品質よりも低い（Ａ＜Ｂ）場合には、ステップＳ１１へ進む。
【００６１】
ステップＳ８において、増設部３２は、データ通信時におけるデータ伝送量が所定の閾値を超えるか否かを判定する。データ伝送量が所定の閾値を超える場合（ＹＥＳ）には、ステップＳ９へ進む。データ伝送量が所定の閾値を超えない場合（ＮＯ）には、ステップＳ１０へ進む。
【００６２】
ステップＳ９において、増設部３２は、減設部３１により減設されなかったスロットの割当元の基地局ＣＳ１を、減設されたスロットの割当元として、スロットを増設し、ステップ１３へ進む。
ステップＳ１０において、増設部３２は、スロットを増設せずにデータ通信を行う。
【００６３】
ステップＳ１１において、増設部３２は、データ通信時におけるデータ伝送量が所定の閾値を超えるか否かを判定する。データ伝送量が所定の閾値を超える場合（ＹＥＳ）には、ステップＳ１２へ進む。データ伝送量が所定の閾値を超えない場合（ＮＯ）には、ステップＳ１０へ進む。
【００６４】
ステップＳ１２において、増設部３２は、着信信号に関する処理に割り当てられるスロットの割当元の基地局ＣＳ３を、減設されたスロットの割当元として設定し、スロットを増設する。
【００６５】
ステップＳ１３において、増設部３２は、着信信号に関する処理が終了したか否かを判定する。着信信号に関する処理が終了した場合（ＹＥＳ）には、ステップＳ１４へ進む。着信信号に関する処理が終了していない場合（ＮＯ）には、ステップＳ１３の処理を繰り返す。
【００６６】
ステップＳ１４において、増設部３２は、着信信号に関する処理に割り当てられていたスロットを減設する。
ステップＳ１５において、増設部３２は、当該スロットをデータ通信用として増設する。
ステップＳ１６において、制御部３０は、データ通信に関する処理を実行し、その後、処理を終了する。
【００６７】
以上、本発明の実施形態について説明したが、本発明は上述した実施形態に制限されるものではなく、適宜変更が可能である。また、ＰＨＳ端末１がパーソナルコンピュータ等のデータ端末に接続され、このデータ端末からＵＳＢ等で受信したデータをＴＤＭＡ／ＴＤＤ方式で無線送信する場合にも、本発明は適用可能である。
【００６８】
また、本発明に係る携帯端末は、ＰＨＳ端末１には限られず、ＴＤＭＡ／ＴＤＤ方式に限られない。例えば、Ｗ−ＣＤＭＡ、ＣＤＭＡ２０００、ＬＴＥ方式にも適用可能である本発明は、携帯電話機、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００６９】
１  ＰＨＳ端末（携帯端末）
３０  制御部
３１  減設部
３２  増設部
４０  通信部
【図１】
2012222745.tif 000003
【図２】
2012222745.tif 000004
【図３】
2012222745.tif 000005
【図４】
2012222745.tif 000006
【図５】
2012222745.tif 000007
【図６】
2012222745.tif 000008